【手続補正書】
【提出日】平成19年12月17日(2007.12.17)
【手続補正１】
【補正対象書類名】明細書
【補正対象項目名】特許請求の範囲
【補正方法】変更
【補正の内容】
【特許請求の範囲】
【請求項１】  トリメチルペンテンへのイソブテンの選択的二量化を可能とする条件下で、イソブテンおよびｎ−ブテンを含むＣ４オレフィン性供給原料をゼオライト・ベータを含んで成る触媒と接触させることを含む、トリメチルペンテンを含んで成る反応生成物を製造する製造方法であって、反応温度が５０℃より低く、該ゼオライト・ベータが使用に先立って脱アルミニウム化されていることを特徴とする製造方法。
【請求項２】  Ｃ４オレフィン性供給原料中に存在するｎ−ブテンの１０重量％未満が、オリゴマー化される、請求項１に記載の製造方法。
【請求項３】  スチーム処理および／または化学処理によって、ゼオライト・ベータの脱アルミニウム化を実施することを特徴とする、請求項１または請求項２のいずれかに記載の製造方法。
【請求項４】  バッチ式リアクターまたは連続流通式リアクターで実施する、請求項１〜請求項３のいずれかに記載の製造方法。
【請求項５】  接触蒸留技術に基づいて実施する、請求項１〜請求項４のいずれかに記載の製造方法。
【請求項６】  イソブテンのダイマーは、生成する全生成物の少なくとも４５重量％に相当し、トリメチルペンテンは、生成する全ダイマーの少なくとも８０重量％に相当する、請求項１〜請求項５のいずれかに記載の製造方法。
【請求項７】  イソブテンのダイマーは、生成する全生成物の少なくとも６０重量％に相当し、トリメチルペンテンは、生成する全ダイマーの少なくとも８０重量％に相当する、請求項１〜請求項６のいずれかに記載の製造方法。
【請求項８】  精留、水素化、カルボニル化、エーテル化、エポキシ化、水和を更に含んで成る、または、ヒドロホルミル化後に酸化もしくは水素化を更に含んで成ることを特徴とする、請求項１〜請求項７のいずれかに記載の製造方法。
【手続補正２】
【補正対象書類名】明細書
【補正対象項目名】０００１
【補正方法】変更
【補正の内容】
【０００１】
本発明は、Ｃ４オレフィン性供給原料（またはＣ４オレフィン系フィードストック）からトリメチルペンテンを含んで成る反応生成物を製造する選択的製造方法（または選択的プロセス）に関する。また、本発明は、かかる製造方法によって得られる生成物に関する。
【手続補正３】
【補正対象書類名】明細書
【補正対象項目名】０００７
【補正方法】変更
【補正の内容】
【０００７】
イソブテン（その他のＣ４オレフィンと混合される）の使用に関した問題として、イソブテンのオリゴマー化条件によっては、所望のイソブテンのホモダイマー即ちトリメチルペンテンに加えて、イソブテンと供給原料中の他のノルマルＣ４オレフィンとのコダイマーが生じるということがある。従って、混合したＣ４オレフィン性供給原料からトリメチルペンテンを選択的に製造することは、非常に選択的な製造条件（またはプロセス条件）が必要となる。かかる製造方法で用いる触媒には、分子量がより大きいオリゴマーよりもダイマーに対して選択性があることを必要とされるだけでなく、イソブテンと供給原料中の他のノルマルＣ４オレフィンとのコダイマー化（ｃｏｄｉｍｅｒｉｓａｔｉｏｎ）よりも、イソブテンのホモダイマー化（ｈｏｍｏｄｉｍｅｒｉｓａｔｉｏｎ）に有利となることが必要とされる。
【手続補正４】
【補正対象書類名】明細書
【補正対象項目名】００１５
【補正方法】変更
【補正の内容】
【００１５】
本製造方法のために、ゼオライト・ベータはプロトン型であり、本明細書ではゼオライトＨ−ベータと呼ぶ。ゼオライトＨ−ベータは、比較的大きな孔（または大孔）を有するゼオライトである。そのゼオライトＨ−ベータは、市販されており、または、例えば１０〜１５０の範囲の種々のＳｉ／Ａｌ原子比で合成により調製することができる。ゼオライト・ベータの合成および特性について調べるには、Ｐ．Ａ．ＪａｃｏｂｓおよびＪ．Ａ．Ｍａｒｔｅｎｓによる「高シリカ・アルミノシリケート・ゼオライトの合成（Ｓｙｎｔｈｅｓｉｓ  ｏｆ  Ｈｉｇｈ  Ｓｉｌｉｃａ  Ａｌｕｍｉｎｏｓｉｌｉｃａｔｅ  Ｚｅｏｌｉｔｅｓ）」（シリーズ第３３巻「表面科学および触媒に関する研究（Ｓｔｕｄｉｅｓ  ｉｎ  Ｓｕｒｆａｃｅ  Ｓｃｉｅｎｃｅ  ａｎｄ  Ｃａｔａｌｙｓｉｓ）」として出版されている）が参照される。１５０より大きいＳｉ／Ａｌ原子比を有するゼオライト・ベータを、水熱処理（またはスチーム処理）および／または化学処理等の脱アルミニウム化法によって得ることができる。我々は、脱アルミニウム化の詳細に関して、「Ｉｎｔｒｏｄｕｃｔｏｎ  ｔｏ  Ｚｅｏｌｉｔｅ  Ｓｃｉｅｎｃｅ  ａｎｄ  Ｐｒａｃｔｉｃｅ」（Ｈ．Ｖａｎ  Ｂｅｋｋｕｍ  ｅｔ  ａｌ．、Ｅｌｓｅｖｉｅｒ  １９９１年）を参照している。そこで紹介されている脱アルミニウム化したゼオライトＨ−ベータを本製造方法において用いてもよい。
【手続補正５】
【補正対象書類名】明細書
【補正対象項目名】００１７
【補正方法】変更
【補正の内容】
【００１７】
不均一反応に適した種々のタイプのリアクターで、本発明の製造方法を実施してよく、固定層リアクターまたは流動層リアクターのいずれかで本製造方法を実施してよい。バッチ式リアクターもしくは連続流通式リアクターで本製造方法を実施してよく、または、接触蒸留技術（反応蒸留法とも呼ばれる）に基づいて本製造方法を実施してもよい。Ｃ４オレフィン性供給原料からイソブテンへの転化は、液相、気相または混合相において起こり得る。
【手続補正６】
【補正対象書類名】明細書
【補正対象項目名】００１８
【補正方法】変更
【補正の内容】
【００１８】
本製造方法では、Ｃ４オレフィン性供給原料中に存在するイソブテンが、トリメチルペンテンを含んで成る反応生成物へと選択的に転化する。ダイマーは、生成する全オリゴマー中の少なくとも４５重量％、好ましくは６０重量％に相当し、トリメチルペンテンは、生成する全ダイマー中の少なくとも８０重量％に相当する。かかるトリメチルペンテンに対する選択性（または選択）は、中程度の温度、例えば５０℃より低い温度で達成され得る。
【手続補正７】
【補正対象書類名】明細書
【補正対象項目名】００１９
【補正方法】変更
【補正の内容】
【００１９】
また、従って、本発明には、ゼオライト・ベータを含んで成る触媒にＣ４オレフィン性供給原料を接触させることによって得られる生成物が包含されている。例えば、精留（または分別）、水素化、ヒドロホルミル化（またはオキソ反応）後の酸化もしくは水素化、カルボニル化、エーテル化、エポキシ化または水和等の中の１または幾つかの転化工程によって、かかる生成物を工業的に重要な他の生成物に変えてもよい。また、本発明は、これらを更に変化（または転化）させることによって得られる生成物、例えば、アルカン、アルコール、エーテル、アルデヒド、エポキシドまたはカルボン酸等を包含する。
【手続補正８】
【補正対象書類名】明細書
【補正対象項目名】００２０
【補正方法】変更
【補正の内容】
【００２０】
また、例えば、Ｃ４オレフィン性供給原料から、トリメチルペンテンを少なくとも４５重量％含んで成る反応生成物へのイソブテンの選択的二量化を行い、その後すぐに、水素化を行ってもよい。これにより、洗浄剤の調製、被膜の調製、接着剤の調製等に有用な溶剤となるトリメチルペンタンを少なくとも４５重量％含んで成る炭化水素組成物が生じる。
【手続補正９】
【補正対象書類名】明細書
【補正対象項目名】００２８
【補正方法】変更
【補正の内容】
【００２８】
【表１】
2004505008.tif 000001